(57)【要約】 【構成】  パチンコホールの壁の内面に金属板からなる検出ボード１０を取り付け、壁の外側の地面に発振回路の出力を流す。検出ボードの出力を検波し、積分回路で積分して検波信号との差分を求め、差分から壁への侵入者を検出する。【効果】  壁を破ってのホール内への侵入を検出できる。【選択図】    図２  
2005204990.tif 000002
【特許請求の範囲】
【請求項１】
アースと監視対象との一方に発振回路の出力を接続すると共に他方に検出端を接続し、該検出端からの信号を検波して検波信号を出力する検波回路と、該検波信号を積分して積分信号を出力する積分手段と、該積分信号と前記検波信号との差分信号を求めるための差分手段と、該差分信号から侵入者を検出する検出手段とを備え、
侵入者がアースと監視対象間に侵入したことによる、アースと監視対象間の静電容量の変化を、前記差分信号に変換して侵入者を検出するようにしたパチンコホールの侵入検出装置。
【請求項２】
前記検出端が導電性の面状部材からなることを特徴とする、請求項１のパチンコホールの侵入検出装置。
【請求項３】
アースと監視対象との一方に発振回路の出力を接続すると共に他方に検出端を接続し、該検出端からの信号を検波回路で検波して検波信号とし、得られた検波信号を積分手段で積分して積分信号に変換し、前記検波信号と積分信号との差分信号を求め、該差分信号から侵入者を検出する侵入検出装置を配備することにより、
侵入者がアースと監視対象間に侵入したことを検出するようにしたパチンコホールの侵入検出方法。
【請求項４】
前記侵入検出装置をパチンコホールの壁付近に配備して、壁からの侵入を検出するようにしたことを特徴とする、請求項３のパチンコホールの侵入検出方法。
【請求項５】
アースと監視対象との一方に発振回路の出力を接続すると共に他方に検出端を接続し、該検出端からの信号を検波回路で検波して検波信号とし、得られた検波信号を積分手段で積分して積分信号に変換し、前記検波信号と積分信号との差分信号を求め、該差分信号から侵入者を検出する侵入検出装置を配備し、アースと監視対象の間に侵入者が侵入したことを検出するようにした、パチンコホール。
【請求項６】
前記侵入検出装置をパチンコホールの壁付近に配備して、壁からの侵入を検出するようにしたことを特徴とする、請求項５のパチンコホール。
【発明の詳細な説明】
【技術分野】
【０００１】
この発明はパチンコホールへの侵入の検出に関し、例えば壁などを破って壁際の島へ人が侵入するのを検出するものである。
【背景技術】
【０００２】
パチンコホールへの侵入検出装置は、赤外線などの光路や超音波などが侵入者により遮られることを検出するもの（インタラプタ）、監視カメラで侵入者の画像を撮影するもの、あるいは焦電センサで侵入者の体温を検出するものなどが知られている。しかしながらパチンコホールの壁を破って侵入者が壁際の島（パチンコ台の列）へ侵入し、パチンコ台の背後からＲＯＭを不正交換することを検出するのは困難である。島と壁の間には、配線などのケーブルが多数あり、インタラプタでは人体とケーブルの区別が難しい。またこのような狭い空間では、監視カメラで人体とケーブルなどを区別するのも難しい。焦電センサで体温を検出するにしても、赤外線反射フィルムなどで赤外線の放出を抑えた服を着用されると、あるいはより簡単には毛布をかぶって侵入されると、焦電センサでの検出は難しくなる。
【発明の開示】
【発明が解決しようとする課題】
【０００３】
この発明の基本的課題は、パチンコホールの新たな侵入検出装置を提供することにある。
請求項２，４，６の発明での追加の課題は、壁を破って壁際の島へ侵入されることを検出できるようにすることにある。
【課題を解決するための手段】
【０００４】
この発明のパチンコホールの侵入検出装置は、アースと監視対象との一方に発振回路の出力を接続すると共に他方に検出端を接続し、該検出端からの信号を検波して検波信号を出力する検波回路と、該検波信号を積分して積分信号を出力する積分手段と、該積分信号と前記検波信号との差分信号を求めるための差分手段と、該差分信号から侵入者を検出する検出手段とを備え、侵入者がアースと監視対象間に侵入したことによる、アースと監視対象間の静電容量の変化を前記差分信号に変換して侵入者を検出するするようにしたものである。
【０００５】
好ましくは、検出端が導電性の面状部材、例えば金属板や金属線を碁盤目状に接続した部材、あるいはカーボンなどの導電性成分を含有するプラスチックなどのプレートや碁盤目状の部材からなる。このような面状の検出端は壁に取り付けて壁からの侵入を検出するのに適している。
【０００６】
またこの発明のパチンコホールの侵入検出方法は、アースと監視対象との一方に発振回路の出力を接続すると共に他方に検出端を接続し、該検出端からの信号を検波回路で検波して検波信号とし、得られた検波信号を積分手段で積分して積分信号に変換し、前記検波信号と積分信号との差分信号を求め、該差分信号から侵入者を検出する侵入検出装置を配備することにより、侵入者がアースと監視対象間に侵入したことを検出するようにしたものである。
【０００７】
またこの発明のパチンコホールは、アースと監視対象との一方に発振回路の出力を接続すると共に他方に検出端を接続し、該検出端からの信号を検波回路で検波して検波信号とし、得られた検波信号を積分手段で積分して積分信号に変換し、前記検波信号と積分信号との差分信号を求め、該差分信号から侵入者を検出する侵入検出装置を配備し、アースと監視対象の間に侵入者が侵入したことを検出するようにしたものである。
【０００８】
好ましくは、この発明のパチンコホールの侵入検出方法やパチンコホールでは、侵入検出装置をパチンコホールの壁付近に配備して、壁からの侵入を検出する。
【発明の効果】
【０００９】
この発明の、侵入検出装置や侵入検出方法あるいはパチンコホールでは、アースと監視対象との間に侵入者が侵入することによる静電容量の変化を差分信号として検出し、侵入者を検出できる。
ここで検出端を導電性の面状部材とすると、面状部材を壁の内側や壁の内部などに取り付けることができ、しかも壁の外側からは面状部材に細工することができない。そして壁の周囲の地面などと壁との間の静電容量の変化を検出すると、壁を破って壁際の島へ侵入しようとする侵入者を容易に検出できる。また壁際の島のパチンコ台の背面などに検出端を取り付け、壁や壁と島の間の床面などをアースとしても、壁からの侵入を用意に検出できる。
【発明を実施するための最良の形態】
【００１０】
以下に発明を実施するための最適実施例を示す。
【実施例】
【００１１】
図１〜図４に、実施例とその動作とを示す。図１に侵入検出装置２のブロック構成を示すと、４は適宜の電源で、検出装置２の各部に電源を供給し、６は発振回路で、例えば１００ＫＨｚ〜１ＭＨｚ程度の周波数とし、実施例では２５０ＫＨｚとする。発振回路６の出力を、アース端子８を介して、アースとしての建物の床面や壁、天井、地面、換気口や窓の周囲などに加える。１０は検出ボードで、ここでは金属プレートである。検出ボード１０に代えて、金属テープなどの導電性の長尺部材などを用いて、壁の内側などに貼り付けても良い。１２は検波回路で、検出ボード１０からの出力信号を検波し、１４はＯＰアンプである。Ｒ１〜Ｒ４は抵抗で、Ｃ１はコンデンサであり、抵抗Ｒ１と抵抗Ｒ２は抵抗値を同一にし、抵抗Ｒ３と抵抗Ｒ４は抵抗値を同一にする。抵抗Ｒ３とコンデンサＣ１とで積分回路を構成し、その時定数は実施例では３００秒とするが、侵入者がゆっくりと侵入しても検出でき、しかも天候の変化や気温、湿度の変化などによる誤動作を防止するため、時定数は例えば１００〜１０００秒程度が好ましい。抵抗Ｒ１と抵抗Ｒ２の抵抗値が同一で、抵抗Ｒ３と抵抗Ｒ４の抵抗値が同一なため、検波信号が一定であれば、ＯＰアンプ１４の出力はほぼ０のオフセット程度の値となる。検出ボード１０からＯＰアンプ１４までで検出回路１６を構成し、検波回路１２には複数の検出ボードを並列に接続しても良い。図１には、検出ボード１１として並列に接続した検出ボードの例を示す。
【００１２】
１８はＡＤコンバータで、２０はコンピュータであり、例えばマイクロコンピュータなどで構成し、２２はそのＣＰＵ、２４はそのＲＯＭ、２６はＲＡＭで、２８はＥＥＰＲＯＭであり、書換可能の不揮発性メモリの例で、例えば侵入の検出日時と侵入者が監視エリアから抜け出した日時などの検出履歴を記憶する。また好ましくは通信部３０を設けて、集中監視ボードなどへ信号を送信できるようにする。
【００１３】
実施例では、発振回路６の出力をアース端子８からアース側に流し、検出ボード１０からの信号を検波回路１２で検波して、抵抗Ｒ３とコンデンサＣ１とから成る積分回路で積分し、この積分回路の出力と検波回路の出力との差分をＯＰアンプ１４で求めて、ＡＤコンバータ１８でＡＤ変換する。ここで検出ボード１０，１１はアース端子８を接続した大地や地面、床面、壁面、天井など（これらをアースという）とは絶縁しておく。さらに検出ボード１０側に発振回路６の出力を加え、アース端子８からの出力を検波回路１２で検波しても良い。なおアース側に発振回路６の出力を加えると、発振回路６からの高周波が広がる範囲を監視でき、容易に広い範囲を監視することができる。そして監視範囲を広げる場合、それに応じて長尺状の検出部材を検出ボードに用いたり、あるいは検出ボードを並列に複数配置したりすればよい。どの検出ボードの位置に侵入者が侵入したのかを区別したい場合、検出回路１６と同様の検出回路１７を複数並列に接続してＡＤコンバータ１８に接続し、ＡＤコンバータ１８で複数の検出回路１６，１７をスキャンすると良い。このようにすると、どの検出ボードの位置に侵入者が侵入したのかを識別できる。
【００１４】
Ｉ／Ｏ３２は、コンピュータ２０からの信号により、ＬＥＤなどを用いた表示部３８を用いて、電源のオン／オフや、警戒中かどうか並びに警報（侵入者が存在すること）の有無などを表示する。また警報部４０を用いて、音声などで警報する。操作スイッチ３４は侵入検出装置２のオン／オフやリセットなどを行い、感度切替スイッチ３６から検出感度の切替ができるようにしてある。
【００１５】
積分回路に関する変形を説明すると、ＯＰアンプ１４で検波回路１２の信号を単に増幅して、ＡＤコンバータ１８でＡＤ変換し、ＣＰＵ２２とＲＡＭ２６を用いて、検波信号（厳密にはＡＤコンバータの出力信号）の積分信号を求めても良い。この場合の積分の時定数も、例えば１００〜１０００秒程度とし、ＣＰＵ２２では記憶した積分信号とＡＤコンバータ１８からの新たな信号との差分を求める。またこれ以外に、誤報などを除くため、ＣＰＵ２２では、ＡＤコンバータ１８からの信号を所定回数平均化したものを用いる。
【００１６】
図２に、実施例の侵入検出装置２，２ｂを配備したパチンコホールを示す。なお図２では壁際の保安に用いるものを侵入検出装置２とする。侵入検出装置２ｂは装置自体の構成は侵入検出装置２と同様であるが、パチンコ台の列からなる島４４，４６の間の通路などへの、侵入を検出するためのものである。図２のパチンコホールでは、図の上側が入口であり、両側面が壁４８，４８で構成され、後側に別の壁５１があるものとする。パチンコホールの入口や後側の壁５１にあるドアなどからの侵入は、比較的簡単に検出することができる。例えば侵入検出装置２ｂを図のように配置し、島４６，４６や島４６，４４の間の通路の両側に、検出端４１を設け、この付近でパチンコホールの床面にアース端子８から高周波を流すようにする。これにより得られる監視エリアを監視エリア５０として示し、この部分を侵入者が通過すると、床面と検出端４１との間に人体が侵入し、検出端４１と床面との間の静電容量が変化するため、侵入者を検出できる。ここでは島４４，４６の入口に監視エリア５０を設けたが、各パチンコ台の扉のフレームの金属板などに、検出端４１を取り付けても良い。
【００１７】
島４４，４６間の通路への検出に比べて、壁４８を破っての侵入の検出は難しい。例えば壁４８の外側は人気のない路地であったりする。ここに監視カメラを設けても、かいくぐられることがある。島４４の内側に赤外線センサやフォトインタラプタなどを設けても、前記のように侵入者の検出は難しい。そこで例えば、壁４８の内面に、あるいは壁４８の内部に、前記の板状の検出ボード１０を複数貼り付けなどで取り付け、これらを並列に検波回路の入力として接続する。またアース端子８は、壁４８の内側の床面などに接続するが、壁４８の外側の路地などに取り付けても良い。あるいはこの逆に、壁４８の内側にアース端子８を取り付け、地面側に検出ボードを接続しても良い。
【００１８】
このようにすると、壁４８の外側へアース端子８から高周波が流れるため、検出ボード１０と壁４８との外側の地面との間が監視エリア４９となる。この部分に人が入り込むと、検出ボードとアース端子間の静電容量が変化するため、侵入検出装置２で検出することができる。侵入検出装置２の信号は、パーソナルコンピュータなどを用いた集中監視ボード４２へ送られ、どの侵入検出装置２でいつからいつまで侵入を検出したのかなどが記録される。壁４８を破っての侵入は一晩でなされることは稀なので、侵入検出装置２での侵入の検出状況を集中監視ボード４２で記録すると、壁のどの部分が破られようとしているのかを検出でき、実際に壁が破られるまでに例えば現場を押さえることができる。
【００１９】
実施例では壁４８に検出ボード１０を取り付けたが、壁４８際の島４４のパチンコ台５２に検出端４１を取り付けても良い（図３）。この場合、アース端子８はパチンコ台５２と壁４８との間の床面などに接続し、検出端４１はパチンコ台５２の裏側で、床面とは絶縁された位置に取り付ける。そして複数の検出端４１を並列に侵入検出装置２へ接続する。このようにすると、壁４８を破って島４４のパチンコ台５２と壁４８の隙間に侵入者が入り込んだ時点で検出することができる。
【００２０】
図４に侵入検出装置２の動作を示す。検波回路への入力は侵入者がなければほぼ一定であり、人体は空気などに比べて極めて誘電率が高いため、アース端子８に導通している部分と検出ボードとの間に人体が入り込むと、この間の静電結合が変化し、高周波が流れる。この結果検波回路への入力振幅は増大し、これを適宜に検波すると、図４のb)の検波回路の出力が得られる。これを時定数の長い積分回路で積分し、検波信号との差分を求めて、差分が所定の閾値以上で侵入者有りとして警報する。なお侵入者の検出は積分回路の時定数の間しか行えず、侵入者が退去すると積分回路の信号が検波回路の信号を上回って、逆向きの信号が生じるため、侵入者の退去を検出できる。
【００２１】
実施例では壁などからの侵入の検出を説明したが、これ以外に窓や換気口などからの侵入も検出できる。例えば窓の周囲をアースと見なして、アース端子を接続し、窓の中に検波回路への入力端子を接続すればよい。同様に換気口の周囲をアースと見なしてアース端子を接続し、換気口の中に検波回路への入力端子を設ければよい。
【図面の簡単な説明】
【００２２】
【図１】実施例の侵入検出装置のブロック図
【図２】実施例の侵入検出装置を配備したパチンコホールを模式的に示す平面図
【図３】侵入検出装置の配備の変形例を示す図
【図４】実施例の侵入検出装置の動作を示す波形図で、a)は検波回路への入力を、b)は検波回路の出力と積分回路の出力との差分を示し、c)は侵入検出装置の出力を示す。
【符号の説明】
【００２３】
２，２ｂ      侵入検出装置
４            電源
６            発振回路
８            アース端子
１０，１１    検出ボード
１２          検波回路
１４          ＯＰアンプ
１６，１７    検出回路
１８          ＡＤコンバータ
２０          コンピュータ
２２          ＣＰＵ
２４          ＲＯＭ
２６          ＲＡＭ
２８          ＥＥＰＲＯＭ
３０          通信部
３２          Ｉ／Ｏ
３４          操作スイッチ
３６          感度切替スイッチ
３８          表示部
４０          警報部
４１          検出端
４２          集中監視ボード
４４，４６    島
４８，５１    壁
４９，５０    監視エリア
５２          パチンコ台
Ｒ１〜Ｒ４    抵抗
Ｃ１          コンデンサ    
【図１】
2005204990.tif 000003
【図２】
2005204990.tif 000004
【図３】
2005204990.tif 000005
【図４】
2005204990.tif 000006